(57)【要約】【課題】防水シートと下地の間への雨水等の浸入を確実に防止するとともに、水切り部材に積層された融着層の経年劣化を抑制して建築物の外観が損なわれるのを極力防止することも可能な、水切り部材及び防水シート端部の固定構造を提供すること。【解決手段】水切り部材５は、屋上のパラペット部１の上端面１ｂに固定される平板部１０と、この平板部１０からパラペット部１の外壁面１ｃに沿って延在する水切り片１１とを有する板部材６と、板部材６の片面全体を被覆する融着層７とを備えている。そして、平板部１０を被覆する融着層７に防水シート２の端部が熱融着される一方で、水切り片１１は、融着層７が内側に配置されるように途中で折り返されている。【選択図】図２
2008240304.tif 000002
【特許請求の範囲】
【請求項１】
建築物の屋上の外縁部に防水シートの端部を固定するために用いられる水切り部材であって、
前記外縁部の上端面に固定される平板部と、この平板部から前記外縁部の外壁面に沿って延在する水切り片とを有し、金属板からなる板部材と、
前記板部材の片面全体を被覆する融着層とを備え、
前記水切り片は、前記融着層が内側に配置されるように途中で折り返されていることを特徴とする水切り部材。
【請求項２】
前記融着層は、融点が８５℃〜１４０℃の熱可塑性樹脂からなる層であることを特徴とする請求項１に記載の水切り部材。
【請求項３】
前記板部材が、溶融亜鉛メッキ鋼板からなることを特徴とする請求項１又は２に記載の水切り部材。
【請求項４】
建築物の屋上の外縁部に防水シートの端部を固定する防水シート端部の固定構造であって、
平板部と水切り片とを有する金属板からなる板部材と、前記板部材の片面全体を被覆する融着層と、を有する水切り部材を備え、
前記平板部が前記外縁部の上端面に固定されるとともに、前記水切り片が前記外縁部の外壁面に沿って延在するように配置され、
前記平板部を被覆する前記融着層と前記防水シートの端部が熱融着され、
さらに、前記水切り片は、前記融着層が内側に配置されるように途中で折り返されていることを特徴とする防水シート端部の固定構造。
【発明の詳細な説明】
【技術分野】
【０００１】
本発明は、建築物の屋上を覆う防水シートの端部を外縁部のパラペットなどに固定するために用いられる水切り部材、及び、防水シート端部の固定構造に関する。
【背景技術】
【０００２】
従来から、建築物の屋上に防水を施すために、塩化ビニル樹脂等からなる防水シートを屋上に敷設して下地を覆う方法が一般的に採用されている。この場合、防水シートと下地の間に雨水等が入り込むのを防止するために、防水シートの端部を下地に固定することが必要になるが、このような防水シート端部の固定構造として、以下のようなものが知られている。
【０００３】
例えば、特許文献１に記載された防水シート端部の固定構造においては、屋上の下地を覆う防水シートの端部が屋上の外縁に沿って設けられたパラペット部（立ち上がり部）まで延びており、パラペット部の上端と下端の角部に、防水シートの端部を上から押さえつけるように、２種類の金属製押さえ板（水切り部材）がそれぞれ設置されている。そして、これら２種類の押さえ板がボルト等の固着具により下地に固定されることで、防水シートの端部が下地と押さえ板との間で挟持固定される。
【０００４】
また、特許文献２に記載された防水シート端部の固定構造は、平板部と水切り片とを有する断面Ｌ字状の金属製の水切り部材を備えており、平板部がパラペットの上端面にボルト等のアンカー部材で固定される一方で、水切り片は平板部からパラペットの上壁面に沿って延在するように配設される。そして、この水切り部材の平板部を覆うように防水シートの端部が配置される。さらに、水切り部材の外面には、塩化ビニル樹脂等の素材からなる融着層が積層されており、平板部の融着層と防水シートの端部とが熱融着されることにより、防水シートの端部が水切り部材に固定される。
【０００５】
【特許文献１】実公平６−４０７４６号公報
【特許文献２】特開２００１−２７０１６号公報
【発明の開示】
【発明が解決しようとする課題】
【０００６】
しかし、特許文献１のように、先に防水シートを下地に敷いてから、押さえ板を上から防水シートに押し付けて、押さえ板をボルト等で下地に固定する場合には、防水シートにボルト等の貫通孔が形成されてしまう。また、下地に不陸がある場合には、押さえ板の下面全体で防水シートを下地に押さえつけることができなくなり、間隔を空けて下地に打ち込まれたボルト等の周囲においてのみ防水シートが押さえられることになるため、ボルト等から離れた場所では防水シートと下地の間に隙間ができてしまう。そのため、防水シートの端部と下地との間に風が吹き込んで防水シートが吹き上げられる、あるいは、雨水が防水シートの下に浸水して建築物に漏水が発生するといった問題が生じる。
【０００７】
一方、特許文献２のように、先に水切り部材をボルト等で下地に固定し、その上から防水シートの端部を被せて水切り部材に熱融着によって接合する場合には、水切り部材の表面に、熱可塑性樹脂からなる融着層を予め形成しておく必要がある。ここで、防水シートが接合される平板部の表面にのみ融着層を形成するのは、製造工程が複雑になることからコスト面で不利である。しかし、水切り片の表面にまで融着層を形成すると、水切り片は防水シートで覆われないことから、この部分の融着層は常に露出することになる。また、一般的に、塩化ビニル樹脂等の熱可塑性樹脂からなる融着層は耐候性に劣る。そのため、露出した融着層が早期に劣化することになり、建築物の外観が損なわれてしまう。
【０００８】
本発明の目的は、防水シートと下地の間への雨水等の浸入を確実に防止するとともに、水切り部材に積層された融着層の経年劣化を抑制して建築物の外観が損なわれるのを極力防止することも可能な、水切り部材及び防水シート端部の固定構造を提供することである。
【課題を解決するための手段及び発明の効果】
【０００９】
第１の発明の水切り部材は、建築物の屋上の外縁部に防水シートの端部を固定するために用いられる水切り部材であって、
前記外縁部の上端面に固定される平板部と、この平板部から前記外縁部の外壁面に沿って延在する水切り片とを有し、金属板からなる板部材と、前記板部材の片面全体を被覆する融着層とを備え、前記水切り片は、前記融着層が内側に配置されるように途中で折り返されていることを特徴とするものである。
【００１０】
本発明の水切り部材は、板部材の平板部において、建築物の屋上の外縁部（パラペット等）の上端面に固定される。また、このとき、板部材の水切り片は外縁部の外壁面に沿って延在することになり、外縁部の上端面と平板部との間を塞ぐ。さらに、平板部の表面に積層された融着層に防水シートの端部が被せられて、平板部と防水シートの端部が熱融着により接合されることで、防水シートの端部が外縁部に固定される。
【００１１】
さらに、融着層は板部材の片面全体を被覆しており、水切り片は、融着層が内側に配置されるように途中で折り返されている。そのため、融着層を板部材の表面全体に形成することにより水切り部材の製造工程を簡略化しつつ、防水シートに覆われない水切り片の融着層が露出するのを防止でき、その結果、融着層の経年劣化に起因して建築物の外観が損なわれるのを抑制することができる。
【００１２】
第２の発明の水切り部材は、前記第１の発明において、前記融着層は、融点が８５℃〜１４０℃の熱可塑性樹脂からなる層であることを特徴とするものである。融着層の融点を８５℃以上とすることで、気温の高い夏場においても十分な接合力を保持することができる。一方、融着層の融点を１４０℃以下とすることで、不十分な熱融着に起因して生じる接合不良を極力防止することができる。
【００１３】
第３の発明の水切り部材は、前記第１又は第２の発明において、前記板部材が、溶融亜鉛メッキ鋼板からなることを特徴とするものである。このように、板部材を耐候性に優れる溶融亜鉛メッキ鋼板で形成することにより、経年劣化に強く寿命の長い水切り部材が得られる。
【００１４】
第４の発明の防水シート端部の固定構造は、建築物の屋上の外縁部に防水シートの端部を固定する防水シート端部の固定構造であって、
平板部と水切り片とを有する金属板からなる板部材と、前記板部材の片面全体を被覆する融着層と、を有する水切り部材を備え、前記平板部が前記外縁部の上端面に固定されるとともに、前記水切り片が前記外縁部の外壁面に沿って延在するように配置され、前記平板部を被覆する前記融着層と前記防水シートの端部が熱融着され、さらに、前記水切り片は、前記融着層が内側に配置されるように途中で折り返されていることを特徴とするものである。
【００１５】
本発明の防水シート端部の固定構造においては、板部材の平板部が、建築物の屋上の外縁部の上端面に固定され、板部材の水切り片が外縁部の外壁面に沿って延在して、外縁部の上端面と平板部との間を塞ぐ。そして、平板部の表面に積層された融着層に防水シートの端部が被せられて、平板部と防水シートの端部が熱融着により接合されることで、防水シートの端部が外縁部に固定される
【００１６】
さらに、融着層は板部材の片面全体を被覆しており、水切り片は、融着層が内側に配置されるように途中で折り返されている。そのため、融着層を板部材の表面全体に形成することにより水切り部材の製造工程を簡略化しつつ、防水シートに覆われない水切り片の融着層が露出するのを防止でき、その結果、融着層の経年劣化に起因して外観が損なわれるのを抑制することができる。
【発明を実施するための最良の形態】
【００１７】
次に、本発明の実施の形態について図面を参照して説明する。図１は、建築物の屋上に設けられた防水シート端部の固定構造の一部斜視図である。また、図２は、図１のパラペット部周辺の拡大断面図である。
【００１８】
図１、図２に示すように、建築物１００の屋上には、平場部Ｒから鉛直に立ち上がったパラペット部１（外縁部）が屋上の外縁に沿って設けられている。そして、下地を覆うように屋上に敷設された防水シート２の端部が、下地との間から雨水等が浸入しないようにパラペット部１において固定される。より詳細には、平場部Ｒとパラペット部１とが１枚の防水シート２で覆われているわけではなく、図１に示すように、屋上の平場部Ｒを覆う防水シート２と、パラペット部１の内壁面１ａと上端面１ｂを覆い、パラペット部１に固定される別の防水シート２とが、パラペット部１の下端付近で重ね合わされている。尚、これらの防水シート２としては、塩化ビニル樹脂、ポリエチレン樹脂、オレフィン系熱可塑性エラストマー、ウレタン、あるいは、エチレンプロピレンゴムやブチルゴムなどのゴムからなるものを使用できる。
【００１９】
図１に示すように、本実施形態の防水シート端部の固定構造は、パラペット部１の上端の外側角部に設けられ、屋上の外縁に沿って延在する水切り部材５を備えている。図３は水切り部材５の断面図である。図２、図３に示すように、水切り部材５は、金属板からなる板部材６と、この板部材６の片面全体を被覆する融着層７とを有する。
【００２０】
板部材６は、パラペット部１の上端面１ｂに固定される平板部１０と、この平板部１０の端部から下方へ延びて、パラペット部１の外壁面１ｃに沿って延在する水切り片１１とを備えている。また、板部材６を構成する金属板としては、鋼板やアルミ板等、種々のものを使用できる。但し、板部材６は、パラペット部１に設置された状態では一部（水切り片１１）が常に露出している。そのため、経年劣化を抑制して水切り部材５の寿命を向上させるという観点から、板部材６は、ステンレス鋼板や溶融亜鉛メッキ鋼板等の、耐候性、耐食性の高い材料で形成されていることが好ましい。
【００２１】
平板部１０は、パラペット部１の上端面１ｂに載置された状態で、ボルトやネジ等のアンカー部材２０により固定される。また、水切り片１１は、平板部１０からパラペット部１の外壁面１ｃに沿って下方へ延在して、平板部１０とパラペット部１の上端面１ｂとの間を塞ぐことにより、それらの間に雨水などが浸入するのを防止する役割を果たしている。尚、後ほど詳述するが、水切り片１１は、その片面に積層された融着層７が内側に配置されるように、途中部（略中央部）において外側（パラペット部１と反対側）へ１８０度折り返されている。また、図２、図３に示すように、折り返された後の状態における水切り片１１の下端部が、さらに、内側（パラペット部１側）へ折り曲げられることによって屈曲部８が形成されている。そして、この屈曲部８により水切り片１１の内側から、雨水等が平板部１０とパラペット部１の上端面１ｂとの間に浸入するのが防止されている。
【００２２】
融着層７は、防水シート２の端部を水切り部材５に固定するために、板部材６の外面に積層されるものであり、前述したような塩化ビニル樹脂等の素材からなる防水シート２との熱融着が可能な素材で形成される。ここで、夏場には屋外の気温が６０℃以上になることから、十分な接合力を保持するためには融着層７の融点は８５℃以上であることが好ましい。その一方で、融点が高すぎると十分な熱融着が困難になることから、不十分な熱融着に起因して生じる接合不良を極力防止するために、融着層７の融点は１４０℃以下であることが好ましい。以上の条件を満たす融着層７の材料として、塩化ビニル樹脂、ポリエチレン樹脂、ポリプロピレン樹脂、オレフィン系熱可塑性エラストマー、熱可塑性ウレタン等の熱可塑性樹脂が挙げられる。
【００２３】
そして、平板部１０に積層された融着層７に防水シート２の端部が被せられて、平板部１０と防水シート２の端部が熱融着により固定される。このような防水シート端部の固定構造においては、水切り部材５と防水シート２の端部の間に隙間が形成されないことから、防水シート２と下地の間に風が吹き込んだり、雨水が浸入したりするのが確実に防止される。
【００２４】
ところで、防水シート２の端部を水切り部材５に接合するということだけを考えれば、融着層７は平板部１０の表面にのみ形成されていればよい。しかし、融着層７を板部材６の一部にのみ形成するためには、特別な工程（融着層７が不要な領域をマスキングするマスキング工程、あるいは、不要な融着層７を除去する除去工程等）が必要になり、その結果、水切り部材５の製造工程が複雑になってしまう。従って、製造コストの低減の観点からは、融着層７は板部材６の片面全体に形成することが好ましい。
【００２５】
しかし、水切り片１１は防水シート２に覆われないことから、この水切り片１１の外面に積層された融着層７は常に露出することになる。さらに、前述したような熱可塑性樹脂からなる融着層７は一般的に耐候性に劣る。そのため、露出した融着層７が早期に劣化してしまい、建築物１００の外観が損なわれてしまう。尚、防水シート２で水切り片１１までを覆うことにより融着層７の劣化を防止することも考えられる。しかし、必要な強度を確保するために、ある程度の厚みを有する防水シート２の端部を、平板部１０と水切り片１１とからなる断面Ｌ字形状の板部材６に沿わせて固定するのは困難であり、防水シート２が局所的に浮いて、板部材６との間に隙間が生じてしまう虞がある。
【００２６】
そこで、本実施形態では、水切り片１１がその途中部（略中央部）において外側へ１８０度折り返されている。これにより、内側部分１１ａに積層された融着層７と、折り返されて外側に位置する外側部分１１ｂに積層された融着層７が、水切り片１１の内側（内側部分１１ａと外側部分１１ｂの間）に配置されている。そのため、水切り片１１に形成された融着層７が露出するのが防止され、融着層７の経年劣化によって外観を損ねるといった問題が生じない。尚、内側部分１１ａと折り返された外側部分１１ｂとの間に雨水等が浸入するのを極力防止するために、内側部分１１ａと外側部分１１ｂを可能な限り密着させておくことが好ましい。
【００２７】
以上、本発明の実施形態について一例を挙げて説明したが、本発明を適用可能な形態は前述した実施形態に限られるものではなく、本発明の要旨を逸脱しない範囲内において、適宜変更を加えることができる。
【００２８】
例えば、水切り部材５の板部材６は、平板部１０と水切り片１１に加えて、さらに、平板部１０の水切り片１１と反対側の端部からパラペット部１の内壁面１ａに沿って延びる部分を有する、断面コの字（Ｕ字）形に形成されたものであってもよい。
【００２９】
また、建築物１００の屋上の外縁部にパラペット部１が設けられている形態のみならず、外縁部が立ち上がっていない形態（例えば、屋上の外縁部が、平場部Ｒと面一である形態）にも、本発明を適用することが可能である。
【図面の簡単な説明】
【００３０】
【図１】建築物の屋上に設けられた防水シート端部の固定構造の一部斜視図である。
【図２】図１のパラペット部周辺の拡大断面図である。
【図３】水切り部材の断面図である。
【符号の説明】
【００３１】
１  パラペット部
２  防水シート
５  水切り部材
６  板部材
７  融着層
１０  平板部
１１  水切り片
【図１】
2008240304.tif 000003
【図２】
2008240304.tif 000004
【図３】
2008240304.tif 000005